(57)【要約】      （修正有）【課題】便利に使用でき、照明にもなる他、並びに制御できる発光装置の発光体の点滅によって発生する警報機能を備えた電子懐中電灯を提供する。【解決手段】電子懐中電灯には一つの筒体、筒体内に設置された電気供給電源、筒体の一端と固着に接続された口金カバー、筒体のほかの一端と固着に接続された底座、口金カバー内に設置された発光装置で構成され、上記発光装置は筒体内の電気供給電源の正極と接続され、底座にまた筒体内の電気供給電源と接続された電子スイッチが設置され、電子スイッチは順次接続されたマイクロコントローラー、N溝MOS管、ダイオードで構成され、ダイオードの負極にはまた一つの放電抵抗と充放電コンデンサーが並列接続され、マイクロコントローラーの出力ポートのピンにはまた一つのワンタッチスイッチが接続され、このワンタッチスイッチの一端とマイクロコントローラー出力ポートのピンと相互接続になり、マイクロコントローラーの出力ポートのピンには更に一つのダウンドローイング抵抗が接続され、この抵抗の一端と上記マイクロコントローラーの出力ポートのピンと相互接続になり、他の一端が接地されている。【選択図】図２
0003123169.tif 000002
【実用新案登録請求の範囲】
【請求項１】
一つの筒体、筒体内に設置された電気供給電源、筒体の一端と固着に接続された口金カバー、筒体のほかの端と固着に接続された底座、口金カバー内に設置された発光装置で構成され、上記発光装置は筒体内に設置された電気供給電源の正極に接続され、上記底座にはまた筒体内に設置された電気供給電源と接続された電子スイッチが設置され、この電子スイッチは順次接続されたマイクロコントローラー、N溝MOS管、ダイオードで構成され、上記マイクロコントローラーの出力ポートのピンとN溝MOS管の制御ピンが相互接続され、N溝MOS管の出力ピンとダイオードの正極が相互接続され、ダイオードの正極と発光装置の負極が接続され、ダイオードの負極がまた一つの放電抵抗と充放電コンデンサーと並列接続され、充放電コンデンサーの正極とマイクロコントローラーの入力ポートのピンと相互接続になり、マイクロコントローラーの出力ポートのピンにはまた一つのワンタッチスイッチが接続され、このワンタッチスイッチの一端とマイクロコントローラー出力ポートのピンと相互接続になり、そのほかの一端が接地され、マイクロコントローラーの出力ポートのピンには一つのダウンドローイング抵抗が接続され、この抵抗の一端と上記マイクロコントローラーの出力ポートのピンと相互接続になり、そのほかの一端が接地されたことを特徴とする電子懐中電灯。
【請求項２】
発光装置が電球座、電球座パネルに設置された発光体、底座と固着に接続されたリフレクター・ハウジング、リフレクター・ハウジング頂部に設置された透光レンズと構成され、電球座底部には発光体と相互接続された正極と負極が設置され、上記発光体の正極は電気供給電源の正極と接続され、上記発光体の負極は筒体を介して電子スイッチに接続され、電子スイッチと電気供給電源の負極が接続されたことを特徴とする請求項１で記述した電子懐中電灯。
【請求項３】
電子スイッチが底座の底部に設置され、底座の底部に貫通孔が設置され、貫通孔に密封蓋が設置されたことを特徴とする請求項１で記述した電子懐中電灯。
【考案の詳細な説明】
【技術分野】
【０００１】
本考案は一種の照明設備に係わり、具体的に言って、照明機能のほかまた警報機能のある電子懐中電灯に関するものである。
【背景技術】
【０００２】
伝統的懐中電灯は乾電池を納める一つの筒体、筒体に設置された制御スイッチと筒体の一端に設置された照明電球及び底座で構成されていた。このような懐中電灯の制御スイッチは機械式構造であり、筒体には滑りボタンがあり、滑りボタンには一枚のばねが接続され、滑りボタンの位置を調節して、ばねと電気供給電源回路の回路と閉路を実現し、ばねと電気供給電源回路が閉路されるとき、懐中電灯は照明し、その反対の場合に、懐中電灯が消える。だから、照明機能だけの単一機能があり、又機械構造スイッチを採用しているため、良く磨耗され、接触不良になりやすく、懐中電灯が使えなくなることをもたらす。伝統的懐中電灯を改善し、使用者のニーズを満足させる必要がある。
【考案の開示】
【考案が解決しようとする課題】
【０００３】
本考案の目的は現有技術に存在する上記欠陥を克服し、使用が便利であり、照明機能のほかまた制御できる発光装置の発光体の点滅によって発生する警報機能を備えた電子懐中電灯を提供することである。
【課題を解決するための手段】
【０００４】
上記目的を実現するために提供する本考案の技術案は次のとおりである。
一つの筒体、筒体内に設置された電気供給電源、筒体の一端と固着に接続された口金カバー、筒体のほかの端と固着に接続された底座、口金カバー内に設置された発光装置で構成され電子懐中電灯において、上記発光装置を筒体内に設置された電気供給電源の正極に接続し、上記底座にはまた筒体内に設置された電気供給電源と接続された電子スイッチを設置し、この電子スイッチを順次接続されたマイクロコントローラー（MCU)、N溝MOS管、ダイオードで構成させ、上記マイクロコントローラー（MCU)の出力ポートのピンとN溝MOS管の制御ピンを相互接続し、N溝MOS管の出力ピンとダイオードの正極を相互接続し、ダイオードの正極と発光装置の負極を接続し、ダイオードの負極がまた一つの放電抵抗と充放電コンデンサーと並列接続し、充放電コンデンサーの正極とマイクロコントローラー（MCU)の入力ポートのピンを相互接続し、マイクロコントローラー（MCU)の出力ポートのピンにはまた一つのワンタッチスイッチを接続し、このワンタッチスイッチの一端とマイクロコントローラー（MCU)出力ポートのピンを相互接続し、そのほかの一端は接地し、マイクロコントローラー（MCU)の出力ポートのピンには一つのダウンドローイング抵抗を接続し、この抵抗の一端と上記マイクロコントローラー（MCU)の出力ポートのピンを相互接続し、そのほかの一端は接地させる。
上記電子スイッチは底座の底部に設置し、底座の底部には貫通孔を設置し、貫通孔に密封蓋を設置する。
上記発光装置は電球座、電球座パネルに設置された発光体、底座と固着に接続されたリフレクター・ハウジング、リフレクター・ハウジング頂部に設置された透光レンズで構成し、電球座底部には発光体と相互接続された正極と負極を設置し、上記発光体の正極は電気供給電源の正極と接続し、上記発光体の負極は筒体を通じて電子スイッチに接続し、電子スイッチと電気供給電源の負極を接続させる。
【考案の効果】
【０００５】
本考案で記述する電子懐中電灯の有益な効果は次のとおりである。底座の底部に電子スイッチを設置し、この電子スイッチは順次接続したマイクロコントローラー（MCU）、N溝MOS管、ダイオードで構成させ、上記マイクロコントローラー（MCU）の出力ポートのピンとN溝MOS管の制御ピンを相互接続し、N溝MOS管の出力ピンとダイオードの正極を相互接続し、ダイオードの正極と発光装置の負極を接続し、ダイオードの負極はまた一つの放電抵抗と充放電コンデンサーを並列接続し、充放電コンデンサーの正極とマイクロコントローラー（MCU)の入力ポートのピンを相互接続させ、マイクロコントローラー（MCU)出力ポートのピンには一つのワンタッチスイッチを設置し、このワンタッチスイッチの一端とマイクロコントローラー（MCU)出力ポートのピンを相互接続し、そのほかの一端は設置する。マイクロコントローラー（MCU)の出力ポートのピンにはまた一つのダウンドローイング抵抗を接続し、この抵抗の一端と上記マイクロコントローラー（MCU)の出力ポートのピンを相互接続し、その一端は接地する。使用者がただワンタッチスイッチをそすだけでダイオードがターンオンされ、発光体がすぐ発光されて照明する。使用者がワンタッチスイッチを長く押すと、マイクロコントローラー（MCU)が高・低レベルの間に連続的に置換され、それによってマイクロコントローラー（MCU)と接続されたN溝MOS管出力トリガ信号を制御し、ダイオードをON/OFF状態の転換に制御すると、発光体を持続に点滅させるように制御でき、照明になれるしまた、警報信号を出すこともできる。使用便利で、照明にもなれるし、警報信号を出せる長所を有する。
【考案を実施するための最良の形態】
【０００６】
図と実施例で本考案に記述した電子懐中電灯についてもっと詳しく説明する。
次は本考案で記述した電子懐中電灯の最適実施例であるが、これを以って本考案の保護範囲を限定しない。
参照図1、図2、図3では、一筒体10、筒体10内に設置された電気供給電源11、筒体10の一端と固着に接続された口金カバー12、筒体10のほかの一端に固着に接続された底座13、口金カバー12内に発光装置14を設置し、この発光装置14と筒体10内に設置された電気供給電源11の正極を接続し、上記底座13にまた筒体10内に設置された電気供給電源11と接続した電子スイッチ15を設置し、この電子スイッチ15は順次接続されたマイクロコントローラー（MCU）16、N溝MOS管17、ダイオード18で構成し、上記マイクロコントローラー（MCU）16の出力ポートのピンとN溝MOS管17の制御ピンを相互接続し、上記マイクロコントローラー（MCU）16の出力ポートのピンは1本にし、上記マイクロコントローラー（MCU）16の出力ポートのピンは5本にし、上記N溝MOS管17の制御ピンはG型足にし、N溝MOS管17の出力ピンとダイオード18の正極を相互接続し、ダイオード18の正極と発光装置14の負極を接続し、ダイオード18の負極また一つの放電抵抗19と充放電コンデンサー20と並列接続し、充放電コンデンサー20の正極とマイクロコントローラー（MCU）16の入力ポートのピンを接続し、マイクロコントローラー（MCU）16出力ポートのピンには一つのワンタッチスイッチ21を接続し、このワンタッチスイッチ21の一端とマイクロコントローラー（MCU）16出力ポートのピン6を相互接続し、その一端は接地させる。マイクロコントローラー（MCU）16の出力ポートのピンにはまた一つのダウンドローイング抵抗22を接続し、この抵抗22の一端と上記マイクロコントローラー（MCU)16の出力ポートのピンを相互接続し、そのほかの一端は接地させる。
上記マイクロコントローラー（MCU)16とN溝MOS管17とダイオード18はPCB板28に設置し、PCB板28は底座13の底部に設置し、PCB板28の上部には底座13と固着に接続された当て板31を設置し、当て板31には貫通孔が開けられており、電子スイッチ15と相互接続された?簧27は貫通孔の中から伸び出し且つ電気供給電源11の負極と相互接続させ、PCB板28にはそれと相互接続されたワンタッチスイッチ21を設置する。
上記マイクロコントローラー（MCU)16の型番はPIC12F508でり、上記N溝MOS管17の型番はIRF7475である。
筒体10の両端には外ねじを造り、口金カバー12及び底座13内壁にはめねじを造り、口金カバー12と筒体10の一端を確実に接続し、底座13と筒体10のほかの一端を確実に接続する。
上記発光装置14は、電球座23、電球座23パネル上に設置されている発光体24、底座23に固着に接続されたリフレクター・ハウジング29、リフレクター・ハウジング29頂部に設置された透光?片30で構成され、電球座23の底部には発光体24と相互接続された正、負極25、26が設置し、上記発光体24の正極25と電気供給電源11の正極を接続し、上記発光体24の負極は筒体10を通じて電子スイッチ15を相互接続させ、電子スイッチ15はばね27を通じて電気供給電源11の負極と接続する。
上記電子スイッチ15は底座13の底部に設置し、底座13の底部には貫通孔を設置し、通孔中には密封蓋32を設置し、この密封蓋32は弾性材料で制作され、密封蓋32を押して、ワンタッチスイッチ21を操作できる。
底座13の底部に電子スイッチ15を設置することで、充放電コンデンサー20から電子スイッチ15に電気エネルギーを供給し、使用者はただ密封蓋32を押すだけで、ワンタッチスイッチ21を操作制御できるし、密封蓋32を押すと、ダイオード18がターンオンされ、発光体24が発光されて照明する。使用者が長く密封蓋32を押してワンタッチスイッチ21を操作制御でき、マイクロコントローラー（MCU)16が高、低レベルの間で転換され、それでマイクロコントローラー（MCU)16と接続されたN溝MOS管17出力トリガ信号制御ダイオードのON/OFF状態を転換させる。即ち、発光体24を連続的に点滅するように制御できて、照明をするほか、また警報信号を出すこともできる。
【図面の簡単な説明】
【０００７】
【図１】本考案電子懐中電灯の正面図
【図２】図1の断面図
【図３】本考案電子懐中電灯の電気回路原理図
【符号の説明】
【０００８】
筒体：10          
電源：11            
口金カバー：12
底座：13          
発光装置：14        
電子スイッチ：15
マイクロコントローラー（MCU）：16      
N溝MOS管：17      
ダイオード：18
放電抵抗：19      
充放電コンデンサー：20
ワンタッチスイッチ：21    
抵抗：22          
電球座：23          
発光体：24          
正、負極：25、26  
ばね：27            
PCB板：28        
リフレクター・ハウジング：29    
透光レンズ：30    
当て板：31          
密封蓋：32
【図１】
0003123169.tif 000003
【図２】
0003123169.tif 000004
【図３】
0003123169.tif 000005